(57)【要約】【課題】チャイルドレジスタンス機能を持ち実用に耐え得るピール開封タイプのブリスター容器を提供する。【解決手段】ブリスター容器１は、膨出部２１を形成された第１シート材２０と、第１シート材２０と接合され第２シート材３０と、を含む積層体１０を備えている。第２シート材３０は、第１シート材２０の膨出部２１との間に収容空間１１を形成する。第１シート材２０の膨出部２１が形成されている部分以外の部分に、少なくとも一部分において曲がっている経路を延びる折り目形成手段４０が形成されている。【選択図】図１
2015000733.tif 000002
【特許請求の範囲】
【請求項１】
膨出部を形成された第１シート材と、
前記第１シート材と接合されて前記第１シート材の前記膨出部との間に収容空間を形成する第２シート材と、を含む積層体を備え、
前記第１シート材の前記膨出部が形成されている部分以外の部分に、少なくとも一部分において曲がっている経路を延びる折り目形成手段が形成されている、ブリスター容器。
【請求項２】
前記第１シート材の前記膨出部が形成されている部分以外の部分と前記第２シート材とが対面している領域の一部分が、他の部分よりも弱い接合強度にて接合される、あるいは、接合されずに重なっており、
前記折り目形成手段は、前記第２シート材と弱い接合強度にて接合されている、あるいは、前記第２シート材と接合されずに重なっている、前記第１シート材の部分に形成されている、請求項１に記載のブリスター容器。
【請求項３】
膨出部を形成された第１シート材と、
前記第１シート材と接合されて前記第１シート材の前記膨出部との間に収容空間を形成する第２シート材と、を含む積層体を備え、
前記第２シート材に、少なくとも一部分において曲がっている経路を延びる折り目形成手段が形成されている、ブリスター容器。
【請求項４】
前記第１シート材の前記膨出部が形成されている部分以外の部分と前記第２シート材とが対面している領域の一部分が、他の部分よりも弱い接合強度にて接合される、あるいは、接合されずに重なっており、
前記折り目形成手段は、前記第１シート材と弱い接合強度にて接合されている、あるいは、前記第１シート材と接合されずに重なっている、前記第２シート材の部分に、形成されている、請求項３に記載のブリスター容器。
【請求項５】
前記折り目形成手段は、前記積層体の外縁部上の２つの位置の間を延びている、請求項１〜４のいずれか一項に記載のブリスター容器。
【請求項６】
前記積層体の前記第１シート材は、第１方向に離間して形成された２つの膨出部を有し、
前記折り目形成手段は、前記第１方向において前記２つの膨出部の間となる位置を延びている、請求項１〜５のいずれか一項に記載のブリスター容器。
【請求項７】
前記積層体の前記第１シート材は、第１方向に離間して形成された２つの膨出部を有し、
前記折り目形成手段は、前記２つの膨出部に対して前記第１方向における一側となる位置と、前記２つの膨出部に対して前記第１方向における他側となる位置と、の二箇所に形成されている、請求項１〜５のいずれか一項に記載のブリスター容器。
【請求項８】
前記積層体は、前記第１方向において前記２つの膨出部の間となる位置を延びる中央切断補助手段を有している、請求項７に記載のブリスター容器。
【請求項９】
前記折り目形成手段は、第１方向における一側に位置する前記積層体の一方の縁部と、前記膨出部と、の間となる位置に形成されている、請求項１〜５のいずれか一項に記載のブリスター容器。
【請求項１０】
前記折り目形成手段は、前記第１方向に直交する第２方向に対向して位置する前記積層体の縁部上の２つの位置の間を延びている、請求項６〜９のいずれか一項に記載のブリスター容器。
【請求項１１】
前記第１方向に直交する第２方向に複数の積層体が配置され、
前記第２方向に隣り合う２つの積層体は、切断補助手段を介し、当該切断補助手段に沿って切り離し可能となるように接続されている、請求項６〜９のいずれか一項に記載のブリスター容器。
【請求項１２】
前記第２方向に隣り合う２つの積層体のうち、一方側に位置する積層体の前記折り目形成手段の他方側の端部は、他方側に位置する積層体の前記折り目形成手段の一方側の端部に繋がっている、請求項１１に記載のブリスター容器。
【請求項１３】
前記折り目形成手段の一端部を含む前記積層体の縁部に、切断補助手段を介して接続された折れ防止片を、さらに備える、請求項１〜１２のいずれか一項に記載のブリスター容器。
【請求項１４】
前記折り目形成手段は、当該折り目形成手段の両端を結ぶ直線に対して一側に位置する曲げ線部を含む、請求項１〜１３のいずれか一項に記載のブリスター容器。
【請求項１５】
前記折り目形成手段は、当該折り目形成手段の両端を結ぶ直線に対して他側に位置する曲げ線部をさらに含む、請求項１４に記載のブリスター容器。
【請求項１６】
前記折り目形成手段は、当該折り目形成手段の各端と前記曲げ線部との間に、当該折り目形成手段の両端を結ぶ直線と平行に延びる直線部を含む、請求項１５に記載のブリスター容器。
【請求項１７】
前記折り目形成手段は、一側に位置する前記曲げ線部と他側に位置する前記曲げ線部との間に、当該折り目形成手段の両端を結ぶ直線と平行に延びる中央直線部を含む、請求項１５または１６に記載のブリスター容器。
【発明の詳細な説明】
【技術分野】
【０００１】
本発明は、ブリスター容器に係り、とりわけ、チャイルドレジスタンス（ＣＲ）機能を持つブリスター容器に関する。
【背景技術】
【０００２】
商品を収容するための容器として、ブリスター容器が知られている。ブリスター容器は、膨出部を形成された容器シート材と、容器シート材と接合されて、容器シート材の膨出部との間に製品を収容するための収容空間を形成する蓋材と、を備えている。
【０００３】
とりわけ、医薬品を収容する用途においては、プレススルーパック（ＰＴＰ）タイプのブリスター容器（例えば、特許文献１、２を参照）やピール開封タイプのブリスター容器が利用されている。このうち、前者のＰＴＰタイプの容器では、膨出部を押圧して、収容空間に収容された医薬品で蓋材を突き破ることにより、当該医薬品を取り出すことができる。
【０００４】
一方、後者のピール開封タイプの容器では、蓋材を容器シート材から剥がすことにより、収容空間に収容された医薬品を取り出すことができる。ピール開封タイプの容器は、容器を開封する際に医薬品を押し潰すおそれがないため、口腔内崩壊錠（ＯＤ錠）のような割れ易い医薬品や崩れやすい医薬品等を収容するのに適している。
【先行技術文献】
【特許文献】
【０００５】
【特許文献１】特開２０１２−２３９６４８号公報
【特許文献２】特許第４１５４６０３号明細書
【発明の概要】
【発明が解決しようとする課題】
【０００６】
昨今では、ブリスター容器内に収容された医薬品を小児が誤って口にする誤飲事例が指摘されている。とりわけ、ピール開封タイプの容器に収容され得る口腔内崩壊錠（ＯＤ錠）は、唾液によって舌下で溶ける性質をもつため、飲みやすい味になっていることが多い。このため、口腔内崩壊錠（ＯＤ錠）は、小児が好んで口にする危険性をはらんでいる。このため、ピール開封タイプのブリスター容器において、小児が医薬品を誤飲することを防止する機能、つまりチャイルドレジスタンス（ＣＲ）機能が求められている。
【０００７】
本発明は、このような点を鑑みてなされたものであって、医薬品を押し潰すことなく取り出すことができるピール開封タイプのブリスター容器であって、チャイルドレジスタンス機能を持ち実用に耐え得るブリスター容器を提供することを目的とする。
【０００８】
なお、チャイルドレジスタンス（ＣＲ）機能をもつＰＴＰタイプの容器については、いくつか実用化されている（特許文献１、２参照）。しかしながら、チャイルドレジスタンス機能（ＣＲ）を持つピール開封タイプの容器は未だ実用化されていない。
【課題を解決するための手段】
【０００９】
本発明による第１のブリスター容器は、膨出部を形成された第１シート材と、
前記第１シート材と接合されて前記第１シート材の前記膨出部との間に収容空間を形成する第２シート材と、を含む積層体を備え、
前記第１シート材の前記膨出部が形成されている部分以外の部分に、少なくとも一部分において曲がっている経路を延びる折り目形成手段が形成されている。
【００１０】
本発明による第１のブリスター容器において、前記第１シート材の前記膨出部が形成されている部分以外の部分と前記第２シート材とが対面している領域の一部分が、他の部分よりも弱い接合強度にて接合される、あるいは、接合されずに重なっており、
前記折り目形成手段は、前記第２シート材と弱い接合強度にて接合されている、あるいは、前記第２シート材と接合されずに重なっている、前記第１シート材の部分に形成されていてもよい。
【００１１】
本発明による第２のブリスター容器は、膨出部を形成された第１シート材と、
前記第１シート材と接合されて前記第１シート材の前記膨出部との間に収容空間を形成する第２シート材と、を含む積層体を備え、
前記第２シート材に、少なくとも一部分において曲がっている経路を延びる折り目形成手段が形成されている。
【００１２】
本発明による第２のブリスター容器において、前記第１シート材の前記膨出部が形成されている部分以外の部分と前記第２シート材とが対面している領域の一部分が、他の部分よりも弱い接合強度にて接合される、あるいは、接合されずに重なっており、
前記折り目形成手段は、前記第１シート材と弱い接合強度にて接合されている、あるいは、前記第２シート材と接合されずに重なっている、前記第２シート材の部分に、形成されていてもよい。
【００１３】
本発明による第１または第２のブリスター容器において、前記折り目形成手段は、前記積層体の外縁部上の２つの位置の間を延びていてもよい。
【００１４】
本発明による第１または第２のブリスター容器において、前記積層体の前記第１シート材は、第１方向に離間して形成された２つの膨出部を有し、
前記折り目形成手段は、前記第１方向において前記２つの膨出部の間となる位置を延びていてもよい。
【００１５】
本発明による第１または第２のブリスター容器において、前記積層体の前記第１シート材は、第１方向に離間して形成された２つの膨出部を有し、
前記折り目形成手段は、前記２つの膨出部に対して前記第１方向における一側となる位置と、前記２つの膨出部に対して前記第１方向における他側となる位置と、の二箇所に形成されていてもよい。
【００１６】
本発明による第１または第２のブリスター容器において、前記積層体は、前記第１方向において前記２つの膨出部の間となる位置を延びる中央切断補助手段を有していてもよい。
【００１７】
本発明による第１または第２のブリスター容器において、前記折り目形成手段は、第１方向における一側に位置する前記積層体の一方の縁部と、前記膨出部と、の間となる位置に形成されていてもよい。
【００１８】
本発明による第１または第２のブリスター容器において、前記折り目形成手段は、前記第１方向に直交する第２方向に対向して位置する前記積層体の縁部上の２つの位置の間を延びていてもよい。
【００１９】
本発明による第１または第２のブリスター容器において、前記第１方向に直交する第２方向に複数の積層体が配置され、
前記第２方向に隣り合う２つの積層体は、切断補助手段を介し、当該切断補助手段に沿って切り離し可能となるように接続されていてもよい。
【００２０】
本発明による第１または第２のブリスター容器において、前記第２方向に隣り合う２つの積層体のうち、一方側に位置する積層体の前記折り目形成手段の他方側の端部は、他方側に位置する積層体の前記折り目形成手段の一方側の端部に繋がっていてもよい。
【００２１】
本発明による第１または第２のブリスター容器において、前記折り目形成手段の一端部を含む前記積層体の縁部に、切断補助手段を介して接続された折れ防止片を、さらに備えてもよい。
【００２２】
本発明による第１または第２のブリスター容器において、前記折り目形成手段は、当該折り目形成手段の両端を結ぶ直線に対して一側に位置する曲げ線部を含んでもよい。
【００２３】
本発明による第１または第２のブリスター容器において、前記折り目形成手段は、当該折り目形成手段の両端を結ぶ直線に対して他側に位置する曲げ線部をさらに含んでもよい。
【００２４】
本発明による第１または第２のブリスター容器において、前記折り目形成手段は、当該折り目形成手段の各端と前記曲げ線部との間に、当該折り目形成手段の両端を結ぶ直線と平行に延びる直線部を含んでもよい。
【００２５】
本発明による第１または第２のブリスター容器において、前記折り目形成手段は、一側に位置する前記曲げ線部と他側に位置する前記曲げ線部との間に、当該折り目形成手段の両端を結ぶ直線と平行に延びる中央直線部を含んでもよい。
【発明の効果】
【００２６】
本発明によれば、チャイルドレジスタンス機能を持ち実用に耐え得るピール開封タイプのブリスター容器を提供することができる。
【図面の簡単な説明】
【００２７】
【図１】図１は、本発明の第１の実施の形態によるブリスター容器を示す上面図である。
【図２】図２は、図１のII−II線に沿ったブリスター容器の断面を示す断面図である。
【図３Ａ】図３Ａは、図１に示すブリスター容器の作用を説明するための図であって、積層体から折れ防止片を切り離す工程を示す上面図である。
【図３Ｂ】図３Ｂは、図１に示すブリスター容器の作用を説明するための図であって、複数の積層体を互いに対して切り離す工程を示す上面図である。
【図３Ｃ】図３Ｃは、図１に示すブリスター容器の作用を説明するための図であって、積層体を折り目形成手段から折曲げる工程を示す斜視図である。
【図３Ｄ】図３Ｄは、図１に示すブリスター容器の作用を説明するための図であって、第２シート材を第１シート材の一方の分割部分から剥離する工程を示す斜視図である。
【図３Ｅ】図３Ｅは、図１に示すブリスター容器の作用を説明するための図であって、第２シート材を第１シート材の他方の分割部分から剥離する工程を示す斜視図である。
【図３Ｆ】図３Ｆは、図１に示すブリスター容器の作用を説明するための図であって、第１シート材の他方の分割部分から医薬品を取り出す工程を示す斜視図である。
【図４】図４は、図１に示すブリスター容器の折り目形成手段の他の配置例を示す上面図である。
【図５】図５は、図４に示すブリスター容器の作用を説明するための上面図である。
【図６】図６は、図１に示すブリスター容器の折り目形成手段の更に他の配置例を示す上面図である。
【図７】図７は、図６に示すブリスター容器の作用を説明するための上面図である。
【図８Ａ】図８Ａは、図１に示すブリスター容器の折り目形成手段の形状の他の例を示す上面図である。
【図８Ｂ】図８Ｂは、図１に示すブリスター容器の折り目形成手段の形状の他の例を示す上面図である。
【図８Ｃ】図８Ｃは、図１に示すブリスター容器の折り目形成手段の形状の他の例を示す上面図である。
【図８Ｄ】図８Ｄは、図１に示すブリスター容器の折り目形成手段の形状の他の例を示す上面図である。
【図８Ｅ】図８Ｅは、図１に示すブリスター容器の折り目形成手段の形状の他の例を示す上面図である。
【図９Ａ】図９Ａは、図１に示すブリスター容器の積層体の他の配列例を示す上面図である。
【図９Ｂ】図９Ｂは、図１に示すブリスター容器の積層体の他の配列例を示す上面図である。
【図９Ｃ】図９Ｃは、図１に示すブリスター容器の積層体の他の配列例を示す上面図である。
【図９Ｄ】図９Ｄは、図１に示すブリスター容器の積層体の他の配列例を示す上面図である。
【図１０】図１０は、本発明の第２の実施の形態によるブリスター容器を示す底面図である。
【図１１】図１１は、図１０に示すブリスター容器の作用を説明するための図であって、積層体を折り目形成手段から折曲げる工程を示す斜視図である。
【図１２】図１２は、図１に示すブリスター容器の折り目形成手段の他の形態を示す上面図である。
【発明を実施するための形態】
【００２８】
以下、図面を参照して本発明の実施の形態について説明する。なお、本件明細書に添付する図面においては、図示と理解のしやすさの便宜上、適宜縮尺および縦横の寸法比等を、実物のそれらから変更し誇張してある。
【００２９】
≪第１の実施の形態≫
図１乃至図９は本発明による第１の実施の形態及びその変形例を説明するための図である。このうち図１は、本発明の第１の実施の形態によるブリスター容器を示す上面図であり、図２は、図１に示すII−II線に沿ったブリスター容器の断面を示す断面図である。
【００３０】
なお、以下の説明では、本発明を、医薬品を収容するブリスター容器に適用した例を示している。しかしながら、当然に、本発明は、医薬品を収容するブリスター容器に限定されず、チャイルドレジスタンス機能（ＣＲ）を必要とする種々のブリスター容器に適用することができる。
【００３１】
図１及び図２に示すように、本実施の形態のブリスター容器１は、膨出部２１を形成された第１シート材（容器シート材）２０と、第１シート材２０と接合された第２シート材（蓋材）３０と、を含む複数の積層体１０を備えている。第２シート材３０は、第１シート材２０の膨出部２１を覆って、当該膨出部２１との間に収容空間１１を形成している。この収容空間１１内に、錠剤からなる医薬品２が収容されている。
【００３２】
図１に示すように、各積層体１０は、平面視において、矩形状に形成された外縁部１２を有している。積層体１０の外縁部１２は、積層体１０の面上を延びる第１方向ｄ１に対向して配置された一対の縁部１２ａと、第１方向ｄ１に交差して、とりわけ図示する例では第１方向ｄ１に直交して積層体１０の面上を延びる第２方向ｄ２に対向して配置された一対の縁部１２ｂと、を含んでいる。
【００３３】
各積層体１０は、第１方向ｄ１に離間して配置された２つの収容空間１１を有している。そして、複数の積層体１０が、第１方向ｄ１に直交する第２方向ｄ２に並べて配置されている。
【００３４】
任意の第２方向ｄ２に隣り合う２つの積層体１０は、第１方向ｄ１に延びる切断補助手段５０を介し、当該切断補助手段５０に沿って切り離し可能となるように接続されている。切断補助手段５０は、隣り合う２つの積層体１０の境界となる位置で、第１方向ｄ１に沿って直線状に延びている。
【００３５】
切断補助手段５０は、当該切断補助手段５０を介して接続された２つの積層体１０を、切断を意図して折り曲げた際に、当該切断補助手段５０を設けられた位置にて２つの積層体１０が切り離されることを促進するためのものである。この切断補助手段５０は、それ自体既知の態様で実現され得る。一例として、切断補助手段５０は、第１シート材２０及び第２シート材３０を貫通するようにして積層体１０に断続的に形成された切れ目からなるミシン目や、第２シート材３０の側から第１シート材２０まで延び入るようにして積層体１０に連続的に形成された溝からなるハーフカットラインであってもよい。
【００３６】
上述したように、各積層体１０は、膨出部２１が形成された第１シート材２０に、第２シート材３０を貼り付けることにより構成されている。本実施の形態では、任意の第２方向ｄ２に隣り合う２つの積層体１０の第１シート材２０は、連続して繋がっており、各積層体１０の第１シート材２０は、単一の第１シートで形成されている。同様に、任意の第２方向ｄ２に隣り合う２つの積層体１０の第２シート材３０も、連続して繋がっており、各積層体１０の第２シート材３０も、単一の第２シートで形成されている。
【００３７】
図１に示すように、各積層体１０の第１シート材２０は、収容空間１１に対応して、第１方向ｄ１に離間して形成された２つの膨出部２１を有している。各膨出部２１は、第１シート材２０の当該膨出部２１以外の部分から、第２シート材３０と反対側に向かって突出している。図示する例では、膨出部２１は、半球状に形成されており、第２シート材３０と反対側に向かって延びている。
【００３８】
また、図１に示すように、各積層体１０の第１シート材２０の膨出部２１が形成されている部分以外の部分に、少なくとも一部分において曲がっている経路を延びる折り目形成手段４０が形成されている。この折り目形成手段４０は、積層体１０を折り曲げた際に、当該折り目形成手段４０を設けられた位置にて積層体１０が折り曲げられ第１シート材２０が切断されることを促進するためのものである。折り目形成手段４０が少なくとも一部分において曲がっている経路を延びているため、折り目形成手段４０が直線状に形成されている場合よりも、第１シート材２０は、折り目形成手段４０から折り曲げられ難くなっている。なお、折り目形成手段４０は、第２シート材３０には形成されていない。
【００３９】
この折り目形成手段４０は、それ自体既知の態様で実現され得る。図示する例では、折り目形成手段４０は、第１シート材２０を貫通するようにして当該第１シート材２０に断続的に形成された切れ目４７と、隣り合う２つの切れ目４７の間に形成される繋ぎ目４８と、から形成されている。従って、切れ目４７及び繋ぎ目４８は、少なくとも一部分において曲がっている経路を延びている。とりわけ、繋ぎ目４８が直線状に並ぶことなく、少なくとも一部分において曲がっている経路を延びることにより、繋ぎ目４８が直線状に並ぶ場合よりも、第１シート材２０を折り目形成手段４０から折り曲げられ難くすることができる。
【００４０】
なお、折り目形成手段４０が切れ目４７と繋ぎ目４８とから形成される例を示したが、このような例に限定されず、折り目形成手段４０は、第１シート材２０に連続的に形成された溝からなるハーフカットラインからなってもよい。
【００４１】
本実施の形態では、折り目形成手段４０は、第１方向ｄ１において２つの膨出部２１の間となる位置を延びている。また、折り目形成手段４０は、積層体１０の外縁部１２上の２つの位置の間を延びている。より詳細には、折り目形成手段４０は、第２方向ｄ２に対向して位置する積層体１０の縁部１２ｂ上の２つの位置の間を延びている。
【００４２】
図１に示すように、各積層体１０の折り目形成手段４０の各端部４１は、一直線上に並んでいる。つまり、任意の第２方向ｄ２に隣り合う２つの積層体１０のうち、一方側に位置する積層体１０の折り目形成手段４０の他方側の端部４１は、他方側に位置する積層体１０の折り目形成手段４０の一方側の端部４１に繋がっている。
【００４３】
ここで、折り目形成手段４０が延びる経路について詳述する。図１に示すように、折り目形成手段４０は、当該折り目形成手段４０の両端（両端部）４１を結ぶ直線Ｌ１の両側を延びている。つまり、折り目形成手段４０は、当該折り目形成手段４０の両端４１を結ぶ直線Ｌ１に対して一側となる領域と、他側となる領域と、の両方に渡って延びている。
【００４４】
具体的な構成として、折り目形成手段４０は、当該折り目形成手段４０の両端４１を結ぶ直線Ｌ１に対して一側または他側に位置する複数の曲げ線部４２を含んでいる。ここでいう曲げ線部４２とは、折り目形成手段４０のうち、角がなく連続的に曲がった曲線状の経路を延びる部分、あるいは、その一部が折れ曲がっている経路を延びる屈曲した部分を含む領域をいう。複数の曲げ線部４２は、前記直線Ｌ１に対して一側に位置する第１曲げ線部４２ａと、前記直線Ｌ１に対して他側に位置する第２曲げ線部４２ｂと、からなる。本実施の形態では、第１曲げ線部４２ａと第２曲げ線部４２ｂとは、連続して繋がっている。
【００４５】
第１曲げ線部４２ａ及び第２曲げ線部４２ｂは、くの字状に屈曲した経路に延びている。折り目形成手段４０の両端４１を結ぶ直線Ｌ１に対して一側に位置する第１曲げ線部４２ａは、当該直線Ｌ１上にその両端が位置し、この両端間となる中間部分が一側に突出するようになっている。他側に位置する第２曲げ線部４２ｂは、前記直線Ｌ１上にその両端が位置し、この両端間となる中間部分が他側に突出するようになっている。
【００４６】
また、折り目形成手段４０は、当該折り目形成手段４０の各端４１と曲げ線部４２との間に直線部４５を含んでいる。直線部４５は、折り目形成手段４０の両端４１を結ぶ直線Ｌ１と平行に延びている。図示する例では、直線部４５は、折り目形成手段４０の一端部４１と第１曲げ線部４２ａとの間を延びる第１直線部４５ａと、折り目形成手段４０の他端４１と第２曲げ線部４２ｂとの間を延びる第２直線部４５ｂと、を含んでいる。
【００４７】
さて、前述したように、積層体１０をなす第１シート材２０と第２シート材３０とは、互いに接合されている。具体的には、第１シート材２０の膨出部２１が形成されている部分以外の部分と第２シート材３０とが対面している領域とが、接合されている。この接合された領域は、他の部分よりも弱い接合強度にて接合された弱接合領域Ａを含んでいる。本実施の形態では、弱接合領域Ａは、第１方向ｄ１において２つの膨出部２１の間となる位置を延びる帯状の領域として形成されている。そして、上述した折り目形成手段４０は、弱接合領域Ａ内に配置されている。つまり、折り目形成手段４０は、第２シート材３０と弱い接合強度にて接合されている第１シート材２０の部分に形成されている。この弱接合領域Ａは、一例として剥離強度が３．０（Ｎ／１５ｍｍ巾）以下となるように設定される。
【００４８】
もっとも、上述した弱接合領域Ａにおいて、第１シート材２０と第２シート材３０とが接合されずに重なっているだけであってもよい。つまり、折り目形成手段４０は、第２シート材３０と接合されずに重なっている第１シート材２０の部分に形成されてもよい。
【００４９】
さらに、ブリスター容器１は、折り目形成手段４０の一端部４１を含む積層体１０の縁部１２ｂに、切断補助手段５０を介して接続された折れ防止片６０を備えている。本実施の形態では、折れ防止片６０は、一対で構成され、第２方向ｄ２において最も外方に位置する、対応する積層体１０に接続されている。各折れ防止片６０は、第１方向ｄ１に延びるように帯状に形成され、積層体１０の第２方向ｄ２外方に位置する縁部１２ｂの全域を覆っている。従って、折れ防止片６０の両端間に、積層体１０に形成された曲げ線部４２の一方の端部４１が位置している。
【００５０】
本実施の形態の折れ防止片６０は、積層体１０と同様に、第１シート材２０と、第１シート材２０と接合された第２シート材３０と、からなる層構成を採用している。なお、折れ防止片６０には、折り目形成手段４０は形成されていない。
【００５１】
上述したように、折れ防止片６０は、積層体１０の縁部１２ｂに切断補助手段５０を介して接続されている。この切断補助手段５０は、積層体１０と折れ防止片６０の境界となる位置に形成されており、第１方向ｄ１に沿って直線状に延びている。図示する例では、切断補助手段５０は、第１シート材２０及び第２シート材３０を貫通するようにして積層体１０に断続的に形成された切れ目からなるミシン目で構成されている。切断補助手段５０を利用して折れ防止片６０を折り曲げることにより、当該切断補助手段５０に沿って折れ防止片６０の第１シート材２０及び第２シート材３０を積層体１０から切り離すことができる。
【００５２】
次に、第１シート材２０と第２シート材３０とが積層された積層体１０の層構成について図２を参照して説明する。先ず、第１シート材２０について説明し、その後第２シート材３０について説明する。
【００５３】
第１シート材２０は、単一の樹脂層からなっており、この樹脂層に膨出部２１が成形されている。第１シート材２０をなす樹脂層は、ブリスター容器１に収容される医薬品２を第１シート材２０を介して視認し得るよう、透明性を有していることが好ましい。このような樹脂層として、例えば、ポリプロピレンや塩化ビニルを用いることができる。
【００５４】
一方、第２シート材３０は、図２に示すように、接着層３１とアルミニウム箔層３３と印刷層３４とオーバーコート層３５とを、第１シート材２０側からこの順で含んでいる。
【００５５】
このうち、接着層３１は、第２シート材３０を第１シート材２０に貼り合わせるために設けられている。接着層３１のうち第１シート材２０の膨出部２１以外の部分と対面する領域の一部に、剥離層３２が部分的に、より詳しくは網点状に形成されている。接着層３１のうち、剥離層３２が部分的に形成された領域によって、他の領域よりも接合強度の弱い弱接合領域Ａが提供される。
【００５６】
このような接着層３１として、例えばポリウレタン系接着剤やポリエステル系接着剤を用いることができる。また、剥離層３２として、例えばアクリル系、シリコン系あるいはフッ素系の剥離コート剤を用いることができる。
【００５７】
アルミニウム箔層３３は、収容された医薬品２の変質を防止するために、水蒸気の透過を防止する蒸気バリア性及び酸素ガス等のガスの透過を防止するガスバリア性を発揮する。加えて、アルミニウム箔層３３は、収容された医薬品２に光が到達することを遮ることによって当該医薬品２の品質が低下することを抑制するための機能、すなわち遮光性も発揮する。このようなアルミニウム箔層３３として、例えばＪＩＳ規格の１０００系や８０００系のアルミニウム箔を用いることができる。
【００５８】
このアルミニウム箔層３３に、絵柄を含む印刷層３４が積層されている。ここでいう絵柄とは、第２シート材３０に記録または印刷され得る種々の態様の記録対象のことであり、特に限定されることなく、図、文字、模様、パターン、記号、柄、マーク等を広く含む。図示する例では、第１シート材２０と反対側を向くアルミニウム箔層３３の面に、印刷層３４が積層されている。なお、印刷層３４は、商品の仕様に応じてアルミニウム箔層３３に積層されるものであり、アルミニウム箔層３３に印刷層３４が設けられなくてもよい。
【００５９】
さらに、印刷層３４上にオーバーコート層３５が積層されている。オーバーコート層３５は、印刷層３４を保護するために設けられている。印刷層３４がオーバーコート層３５を介して視認され得るよう、オーバーコート層３５は、透明性を有していることが好ましい。このようなオーバーコート層３５として、例えば、ニトロセルロース系樹脂、エポキシ系樹脂を用いることができる。
【００６０】
次に、以上のような構成からなる本実施の形態の作用について、図３Ａ〜Ｆを参照して説明する。図３Ａ〜Ｆは、図１に示すブリスター容器の作用を説明するための図である。なお、図３Ａ〜Ｆを参照して以下に説明する、ブリスター容器１の収容空間１１に収容された医薬品２を取り出す手順は、一例にすぎず、他の手順で収容空間１１に収容された医薬品２を取り出してもよい。
【００６１】
先ず、図３Ａに示すように、積層体１０の縁部１２ｂに接続された折れ防止片６０を、切断補助手段５０を利用して折り曲げて、あるいは、折り曲げる向きを交互に変更しながら繰返し折り曲げて、最終的に当該切断補助手段５０に沿って積層体１０から切り離す。次に、図３Ｂに示すように、第２方向ｄ２に隣り合う２つの積層体１０を、切断補助手段５０を利用して互いに折り曲げて、当該切断補助手段５０に沿って互いに切り離す。
【００６２】
続いて、図３Ｃに示すように、利用対象となる積層体１０の第１シート材２０を、折り目形成手段４０から折り曲げて、あるいは、折り曲げる向きを交互に変更しながら繰返し折り曲げて、最終的に当該折り目形成手段４０に沿って第１シート材２０を分割する。これにより、第１シート材２０は、第１方向ｄ１において一側に位置する一側分割部分２０ａと他側に位置する他側分割部分２０ｂとに分離される。ここで、各分割部分２０ａ、２０ｂの折り目形成手段４０に沿って切断された縁部２０ａ１、２０ｂ１の形状は、折り目形成手段４０の形状に対応する。従って、各分割部分２０ａ、２０ｂの縁部２０ａ１、２０ｂ１は、少なくとも一部分において曲がっている経路を延び、これにより、他の部分よりも第１方向ｄ１において外方側に突出する突出部２０ａ２、２０ｂ２が、分割部分２０ａ、２０ｂに画定される。
【００６３】
本実施の形態では、折り目形成手段４０は、当該折り目形成手段４０の両端４１を結ぶ直線Ｌ１（図１参照）の両側を延びているため、突出部２０ａ２、２０ｂ２は、縁部２０ａ１、２０ｂ１の両端を結ぶ直線よりも外方側に突出する。具体的な構成として、折り目形成手段４０の両端４１を結ぶ直線Ｌ１に対して他側に位置する第２曲げ線部４２ｂによって、一側分割部分２０ａの一側突出部２０ａ２が画定され、前記直線Ｌ１に対して一側に位置する第１曲げ線部４２ａによって、他側分割部分２０ｂの他側突出部２０ｂ２が画定される。
【００６４】
また、折り目形成手段４０は、弱接合領域Ａに配置されているため、第１シート材２０を折り目形成手段４０から折り曲げた際に、各分割部分２０ａ、２０ｂの突出部２０ａ２、２０ｂ２は、第２シート材３０から剥離され得る。これにより、突出部２０ａ２、２０ｂ２を容易に摘まむことができる。
【００６５】
その後、図３Ｄに示すように、一側分割部分２０ａの一側突出部２０ａ２を摘まみながら第２シート材３０を一側分割部分２０ａから捲り上げて、当該第２シート材３０を一側分割部分２０ａから剥離する。これにより、一側分割部分２０ａと第２シート材３０との間の収容空間１１に収容された医薬品２を取り出すことができる。
【００６６】
次に、図３Ｅに示すように、他側分割部分２０ｂの他側突出部２０ｂ２を摘まみながら第２シート材３０を他側分割部分２０ｂから捲り上げて、当該第２シート材３０を他側分割部分２０ｂから剥離する。これにより、図３Ｆに示すように、他側分割部分２０ｂと第２シート材３０との間の収容空間１１に収容された医薬品２を取り出すことができる。
【００６７】
以上のように、本実施の形態によれば、折り目形成手段４０が少なくとも一部分において曲がっている経路を延びるため、折り目形成手段４０が直線状に形成されている場合よりも、第１シート材２０を折り目形成手段４０から折り曲げ難い。このため、小児が、第１シート材２０を折り目形成手段４０から折り曲げて、当該折り目形成手段４０に沿って第１シート材２０を分割しようとすることを妨げることができる。加えて、折り目形成手段４０に沿って第１シート材２０を分割したとしても、収容空間１１に収容された医薬品２を取り出すためには、第１シート材２０の分割部分２０ａの突出部２０ａ２を摘まみながら、第２シート材３０を分割部分２０ａから捲り上げて、当該第２シート材３０を分割部分２０ａから剥離する必要がある。つまり、小児が、仮に折り目形成手段４０に沿って第１シート材２０を分割したとしても、第２シート材３０を分割部分２０ａから剥離する必要があるため、収容空間１１に収容された医薬品２を容易に取り出すことができない。これらの結果、チャイルドレジスタンス機能を持ち実用に耐え得るピール開封タイプのブリスター容器１が実現される。
【００６８】
また、本実施の形態によれば、第１シート材２０の膨出部２１が形成されている部分以外の部分と第２シート材３０とが対面している領域の一部分が、他の部分よりも弱い接合強度にて接合され、折り目形成手段４０は、第１シート材２０のうちの第２シート材３０と弱い接合強度にて接合されている弱接合領域Ａに形成されている。この場合、第１シート材２０を折り目形成手段４０から折り曲げた際に、各分割部分２０ａ、２０ｂの突出部２０ａ２、２０ｂ２が、第２シート材３０から容易に剥離する。これにより、突出部２０ａ２、２０ｂ２を容易に摘まむことができるようになるため、チャイルドレジスタンス機能を大きく低減させることなく、分割部分２０ａを第２シート材３０から容易に剥離することができる。
【００６９】
また、本実施の形態によれば、折り目形成手段４０は、積層体１０の外縁部１２上の２つの位置の間を延びている、このような形態によれば、チャイルドレジスタンス機能を大きく低減させることなく、各積層体１０の第１シート材２０を折り目形成手段４０に沿って容易に分割することができる。
【００７０】
また、本実施の形態によれば、積層体１０の第１シート材２０は、第１方向ｄ１に離間して形成された２つの膨出部２１を有し、折り目形成手段４０は、第１方向ｄ１において２つの膨出部２１の間となる位置を延びている。このような形態によれば、折り目形成手段４０の両側に膨出部２１が配置されることになるため、積層体１０を把持し易くなる。この結果、チャイルドレジスタンス機能を大きく低減させることなく、積層体１０の第１シート材２０を折り目形成手段４０に沿って容易に分割することができる。
【００７１】
また、本実施の形態によれば、第２方向ｄ２に複数の積層体１０が配置され、第２方向ｄ２に隣り合う２つの積層体１０は、切断補助手段５０を介し、当該切断補助手段５０に沿って切り離し可能となるように接続されている。このような形態によれば、複数の積層体１０を互いに連接することができるため、複数の積層体１０をまとめて持ち運ぶことができる。
【００７２】
また、本実施の形態によれば、第２方向ｄ２に隣り合う２つの積層体１０のうち、一方側に位置する積層体１０の折り目形成手段４０の他方側の端部４１は、他方側に位置する積層体１０の折り目形成手段４０の一方側の端部４１に繋がっている。この場合、隣り合う２つの積層体１０の折り目形成手段４０を繋げて形成することができるため、折り目形成手段４０を効率よく形成することができる。
【００７３】
また、本実施の形態によれば、折り目形成手段４０の一端部４１を含む積層体１０の縁部１２ｂに、切断補助手段５０を介して接続された折れ防止片６０を、さらに備えている。このような形態によれば、折れ防止片６０を、切断補助手段５０を利用して折り曲げて、当該切断補助手段５０に沿って積層体１０から切り離した後でなければ、折り目形成手段４０に沿って第１シート材２０を分割することができない。このため、収容空間１１に収容された医薬品２がさらに取り出され難くなり、チャイルドレジスタンス機能を高めることができる。
【００７４】
また、本実施の形態によれば、折り目形成手段４０は、当該折り目形成手段４０の両端４１を結ぶ直線Ｌ１に対して一側に位置する第１曲げ線部４２ａと、他側に位置する第２曲げ線部４２ｂと、を含んでいる。この場合、折り目形成手段４０に沿って第１シート材２０を分割して一対の分割部分２０ａ、２０ｂを作製した際に、一側に位置する分割部分２０ａの、折り目形成手段４０に沿って切断された縁部２０ａ１に、他の部分よりも他側に突出する突出部２０ａ２を形成することができる、また、他側に位置する分割部分２０ｂの、折り目形成手段４０に沿って切断された縁部２０ｂ１に、他の部分よりも一側に突出する突出部２０ｂ２を形成することができる。このため、いずれの分割部分２０ａ、２０ｂであっても、突出部２０ａ２、２０ｂ２を摘まむことにより、第２シート材３０を分割部分２０ａ、２０ｂから容易に剥離することができる。
【００７５】
また、本実施の形態によれば、折り目形成手段４０は、当該折り目形成手段４０の各端部４１と曲げ線部４２との間に、当該折り目形成手段４０の両端４１を結ぶ直線Ｌ１と平行に延びる直線部４５をさらに含んでいる。折り目形成手段４０が曲げ線部４２と直線部４５との両方を含むことによって、積層体１０の第１シート材２０を折り目形成手段４０から折り曲げる際に必要とされる力の程度を、容易に調整することができる。
【００７６】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７７】
上述した第１の実施の形態では、図１に示すように、積層体１０の第１シート材２０は、第１方向ｄ１に離間して形成された２つの膨出部２１を有し、折り目形成手段４０は、第１方向ｄ１において２つの膨出部２１の間となる位置を延びている例を示したが、折り目形成手段４０の配置は、上述した配置に限定されない。図４及び図５に、折り目形成手段４０の他の配置例を示し、図６及び図７に、折り目形成手段４０の更に他の配置例を示す。
【００７８】
このうち図４及び図５に示す例では、積層体１０の第１シート材２０は、第１方向ｄ１に離間して形成された２つの膨出部２１を有し、折り目形成手段４０は、２つの膨出部２１に対して第１方向ｄ１における一側となる位置と、２つの膨出部２１に対して第１方向ｄ１における他側となる位置と、の二箇所に形成されている。また、弱接合領域Ａも二箇所に形成され、各折り目形成手段４０は、対応する弱接合領域Ａに配置されている。
【００７９】
各折り目形成手段４０は、第２方向ｄ２に対向して位置する積層体１０の縁部１２ｂ上の２つの位置の間を、第２方向ｄ２に沿って延びている。任意の第２方向ｄ２に隣り合う２つの積層体１０のうち、一方側に位置する積層体１０の折り目形成手段４０の他方側の端部４１は、他方側に位置する積層体１０の折り目形成手段４０の一方側の端部４１に繋がっている。
【００８０】
また、図４に示すように、積層体１０は、第１方向ｄ１において２つの膨出部２１の間となる位置を延びる中央切断補助手段５１を有している。各積層体１０の中央切断補助手段５１は、第２方向ｄ２に沿って延びており、一直線上に並んでいる。この中央切断補助手段５１は、切断を意図して積層体１０を折り曲げた際に、当該中央切断補助手段５１を設けられた位置にて積層体１０が切断されることを促進するためのものである。この中央切断補助手段５１の形態は、上述した切断補助手段５０と略同様に構成されるため、ここでは詳細な説明を省略する。
【００８１】
本実施の形態では、各弱接合領域Ａは、第１方向ｄ１における対応する側に位置する積層体１０の一方の縁部１２ａと、当該縁部１２ａに近接する側に位置する膨出部２１と、の間となる位置を延びる帯状の領域として形成されている。各弱接合領域Ａは、対応する縁部１２ａから離間して配置されており、縁部１２ａと弱接合領域Ａとの間に、弱接合領域Ａよりも強い接合強度にて第１シート材２０と第２シート材３０とが接合された領域が形成されている。これにより、縁部１２ａと弱接合領域Ａとの間で、第１シート材２０と第２シート材３０とが安定して接合されるため、第２シート材３０が第１シート材２０から捲れ上がることを防止することができる。
【００８２】
次に、以上のような構成からなる本変形例の作用について図５を参照して説明する。
【００８３】
先ず、積層体１０の縁部１２ｂに接続された折れ防止片６０を、切断補助手段５０を利用して折り曲げて、あるいは、折り曲げる向きを交互に変更しながら繰返し折り曲げて、最終的に当該切断補助手段５０に沿って積層体１０から切り離す。次に、第２方向ｄ２に隣り合う２つの積層体１０を、切断補助手段５０を利用して互いに折り曲げて、当該切断補助手段５０に沿って互いに切り離す。
【００８４】
次に、利用対象となる積層体１０を中央切断補助手段５１から折り曲げて、あるいは、折り曲げる向きを交互に変更しながら繰返し折り曲げて、最終的に当該中央切断補助手段５１に沿って積層体１０を分割する。これにより、積層体１０は、第１方向ｄ１において一側に位置する一側容器材１０ｃと他側に位置する他側容器材１０ｄとに分離される。
【００８５】
次に、一側容器材１０ｃの第１シート材２０を、折り目形成手段４０から折り曲げて、あるいは、折り曲げる向きを交互に変更しながら繰返し折り曲げて、最終的に当該折り目形成手段４０に沿って第１シート材２０を分割する。これにより、一側容器材１０ｃの第１シート材２０は、第１方向ｄ１において一側に位置する一側分割部分２０ａと、膨出部２１を含み他側に位置する他側分割部分２０ｂと、に分離される。このとき、折り目形成手段４０の形状に対応して、折り目形成手段４０に沿って切断された他側分割部分２０ｂの縁部２０ａ１は、少なくとも一部分において曲がっている経路を延び、これにより、他の部分よりも第１方向ｄ１において一側に突出する他側突出部２０ｂ２が他側分割部分２０ｂに形成される。
【００８６】
また、折り目形成手段４０は、弱接合領域Ａに配置されているため、第１シート材２０を折り目形成手段４０から折り曲げた際に、他側分割部分２０ｂの他側突出部２０ｂ２は、第２シート材３０から剥離される。これにより、他側突出部２０ｂ２を容易に摘まむことができる。
【００８７】
その後、他側分割部分２０ｂの他側突出部２０ｂ２を摘まみながら第２シート材３０を他側分割部分２０ｂから捲り上げて、当該第２シート材３０を他側分割部分２０ｂから剥離する。これにより、他側分割部分２０ｂと第２シート材３０との間の収容空間１１に収容された医薬品２を取り出すことができる。
【００８８】
また、一側容器材１０ｃと同様の手順を行うことで、他側容器材１０ｄの収容空間１１に収容された医薬品２も取り出すことができる。
【００８９】
このような形態によっても、折り目形成手段４０が少なくとも一部分において曲がっている経路を延びるため、折り目形成手段４０が直線状に形成されている場合よりも、第１シート材２０を折り目形成手段４０から折り曲げ難い。このため、小児が、第１シート材２０を折り目形成手段４０から折り曲げて、当該折り目形成手段４０に沿って第１シート材２０を分割しようとすることを妨げることができる。加えて、折り目形成手段４０に沿って第１シート材２０を分割したとしても、収容空間１１に収容された医薬品２を取り出すためには、第１シート材２０の分割部分２０ｂの突出部２０ｂ２を摘まみながら、第２シート材３０を分割部分２０ｂから捲り上げて、当該第２シート材３０を分割部分２０ｂから剥離する必要がある。つまり、小児が、仮に折り目形成手段４０に沿って第１シート材２０を分割したとしても、第２シート材３０を分割部分２０ｂから剥離する必要があるため、収容空間１１に収容された医薬品２を容易に取り出すことができない。これらの結果、チャイルドレジスタンス機能を持ち実用に耐え得るピール開封タイプのブリスター容器１が実現される。
【００９０】
なお、図５に示す利用方法では、折れ防止片６０を積層体１０から切り離し、第２方向ｄ２に隣り合う２つの積層体１０を互いに切り離した後、利用対象となる積層体１０を中央切断補助手段５１に沿って分割する例を用いたが、利用対象となる積層体１０を中央切断補助手段５１に沿って分割する工程を行わなくてもよい。この場合、利用対象となる積層体１０を、一方の折り目形成手段４０から折り曲げて、当該折り目形成手段４０に沿って第１シート材２０を分割した後、分割された部分の突出部を摘まみながら第２シート材３０の一部を第１シート材２０から捲り上げることにより、第１シート材２０と第２シート材３０との間の一方の収容空間１１に収容された医薬品２を取り出すことができる。続いて、第２シート材３０を第１シート材２０からさらに捲り上げて、第２シート材３０を第１シート材２０から剥離すれば、他方の収容空間１１に収容された医薬品２も取り出すことができる。
【００９１】
また、図６及び図７に折り目形成手段４０の更に他の配置例を示す。図６及び図７に示す例では、折り目形成手段４０は、第１方向ｄ１における一側に位置する積層体１０の一方の縁部１２ａと、膨出部２１と、の間となる位置に形成されている。
【００９２】
折り目形成手段４０は、第２方向ｄ２に対向して位置する積層体１０の縁部１２ｂ上の２つの位置の間を、第２方向ｄ２に沿って延びている。任意の第２方向ｄ２に隣り合う２つの積層体１０のうち、一方側に位置する積層体１０の折り目形成手段４０の他方側の端部４１は、他方側に位置する積層体１０の折り目形成手段４０の一方側の端部４１に繋がっている。また、折り目形成手段４０は、弱接合領域Ａに配置されている。
【００９３】
また、折り目形成手段４０は、弱接合領域Ａに配置されている。本実施の形態の弱接合領域Ａは、第１方向ｄ１における一側に位置する積層体１０の一方の縁部１２ａと、各膨出部２１と、の間となる位置を延びる帯状の領域として形成されている。弱接合領域Ａは、一側に位置する縁部１２ａから離間して配置されており、縁部１２ａと弱接合領域Ａとの間に、弱接合領域Ａよりも強い接合強度にて第１シート材２０と第２シート材３０とが接合された領域が形成されている。これにより、縁部１２ａと弱接合領域Ａとの間で、第１シート材２０と第２シート材３０とが安定して接合されるため、第２シート材３０が第１シート材２０から捲れ上がることを防止することができる。
【００９４】
次に、以上のような構成からなる本変形例の作用について図７を参照して説明する。
【００９５】
折れ防止片６０を切断補助手段５０に沿って積層体１０から切り離した後、利用対象となる積層体１０を切断補助手段５０から折り曲げて、あるいは、折り曲げる向きを交互に変更しながら繰返し折り曲げて、最終的に当該切断補助手段５０に沿って積層体１０を分割する。これにより、積層体１０は、第１方向ｄ１において一側に位置する一側分割部分２０ａと、膨出部２１を含み他側に位置する他側分割部分２０ｂと、に分離される。このとき、折り目形成手段４０の形状に対応して、折り目形成手段４０に沿って切断された他側分割部分２０ｂの縁部２０ａ１は、少なくとも一部分において曲がっている経路を延び、これにより、他の部分よりも第１方向ｄ１において外方側に突出する他側突出部２０ｂ２が他側分割部分２０ｂに形成される。
【００９６】
また、折り目形成手段４０は、弱接合領域Ａに配置されているため、第１シート材２０を折り目形成手段４０から折り曲げた際に、他側分割部分２０ｂの他側突出部２０ｂ２は、第２シート材３０から剥離される。これにより、他側突出部２０ｂ２を容易に摘まむことができる。
【００９７】
その後、他側分割部分２０ｂの他側突出部２０ｂ２を摘まみながら第２シート材３０を他側分割部分２０ｂから捲り上げて、当該第２シート材３０を他側分割部分２０ｂから剥離する。これにより、他側分割部分２０ｂと第２シート材３０との間の収容空間１１に収容された医薬品２を取り出すことができる。
【００９８】
このような形態によっても、折り目形成手段４０が少なくとも一部分において曲がっている経路を延びるため、折り目形成手段４０が直線状に形成されている場合よりも、第１シート材２０を折り目形成手段４０から折り曲げ難い。このため、小児が、第１シート材２０を折り目形成手段４０から折り曲げて、当該折り目形成手段４０に沿って第１シート材２０を分割しようとすることを妨げることができる。加えて、折り目形成手段４０に沿って第１シート材２０を分割したとしても、収容空間１１に収容された医薬品２を取り出すためには、第１シート材２０の分割部分２０ｂの突出部２０ｂ２を摘まみながら、第２シート材３０を分割部分２０ｂから捲り上げて、当該第２シート材３０を分割部分２０ｂから剥離する必要がある。つまり、小児が、仮に折り目形成手段４０に沿って第１シート材２０を分割したとしても、第２シート材３０を分割部分２０ｂから剥離する必要があるため、収容空間１１に収容された医薬品２を容易に取り出すことができない。これらの結果、チャイルドレジスタンス機能を持ち実用に耐え得るピール開封タイプのブリスター容器１が実現される。
【００９９】
次に、折り目形成手段４０の形状の変形例について説明する。上述した第１の実施の形態では、図１に示すように、折り目形成手段４０は、当該折り目形成手段４０の両端４１を結ぶ直線Ｌ１に対して一側に位置する第１曲げ線部４２ａと、他側に位置する第２曲げ線部４２ｂと、を含み、曲げ線部４２ａ、４２ｂは、くの字状に屈曲した経路に延びる例を示したが、折り目形成手段４０の形状は上述した形状に限定されない。図８Ａ〜Ｆに、折り目形成手段４０の形状の他の例を示す。
【０１００】
図８Ａ〜Ｃに示す例では、折り目形成手段４０は、当該折り目形成手段４０の両端４１を結ぶ直線Ｌ１に対して一側に位置する第１曲げ線部４２ａと、前記直線Ｌ１に対して他側に位置する第２曲げ線部４２ｂと、からなる。この第１曲げ線部４２ａと第２曲げ線部４２ｂとは、連続して繋がっている。
【０１０１】
このうち、図８Ａに示す例では、第１曲げ線部４２ａ及び第２曲げ線部４２ｂは、湾曲した曲線状の経路に延びている。この曲線状の経路は、全域に亘って曲率がなだらかに変化している。
【０１０２】
図８Ｂに示す例では、第１曲げ線部４２ａ及び第２曲げ線部４２ｂは、湾曲した曲線状の経路に延びている。この曲線状の経路は、当該折り目形成手段４０の両端４１を結ぶ直線Ｌ１から最も離間した地点において、他の部分よりも大きく曲率が変化している。
【０１０３】
図８Ｃに示す例では、第１曲げ線部４２ａ及び第２曲げ線部４２ｂは、当該折り目形成手段４０の両端４１を結ぶ直線Ｌ１から最も離間した地点において屈曲した経路に延びている。
【０１０４】
一方、図８Ｄに示す例では、折り目形成手段４０は、当該折り目形成手段４０の両端４１を結ぶ直線Ｌ１に対して一側に位置する第１曲げ線部４２ａと、前記直線Ｌ１に対して他側に位置する第２曲げ線部４２ｂと、第１曲げ線部４２ａと第２曲げ線部４２ｂとの間に、前記直線Ｌ１と平行に延びる中央直線部４６と、を含んでいる。第１曲げ線部４２ａ及び第２曲げ線部４２ｂは、くの字状に屈曲した経路に延びている。
【０１０５】
このような形態によれば、折り目形成手段４０が曲げ線部４２と中央直線部４６との両方を含むことによって、積層体１０の第１シート材２０を折り目形成手段４０から折り曲げる際に必要とされる力の程度を、容易に調整することができる。
【０１０６】
なお、図８Ｄに示す例において、折り目形成手段４０は、当該折り目形成手段４０の各端４１と曲げ線部４２との間に、当該折り目形成手段４０の両端４１を結ぶ直線Ｌ１と平行に延びる直線部４５（図１参照）をさらに含んでいてもよい。
【０１０７】
また、図８Ｅに示す例では、折り目形成手段４０は、当該折り目形成手段４０の両端４１を結ぶ直線Ｌ１に対して一側または他側に位置する曲げ線部４２と、当該折り目形成手段４０の各端４１と曲げ線部４２との間に、前記直線Ｌ１と平行に延びる直線部４５と、を含んでいる。このうち、曲げ線部４２は、くの字状に屈曲した経路に延びている。一方、直線部４５は、折り目形成手段４０の一端部４１と曲げ線部４２との間を延びる第１直線部４５ａと、折り目形成手段４０の他端４１と曲げ線部４２との間を延びる第２直線部４５ｂと、を含んでいる。
【０１０８】
次に、ブリスター容器１に収容される医薬品２の錠数に関する変形例について説明する。上述した第１の実施の形態では、図１に示すように、ブリスター容器１が医薬品２を１０錠収容する例を示している。しかしながら、ブリスター容器１に収容される医薬品２の錠数は上述した例に限定されない。図９Ａ〜Ｄに、ブリスター容器１に収容される医薬品２の錠数の他の例を示す。
【０１０９】
図９Ａに示す例では、ブリスター容器１が医薬品２を１２錠収容する例を示している。具体的には、各積層体１０は、第１方向ｄ１に離間して配置された２つの収容空間１１を有し、６つの積層体１０が、第２方向ｄ２に並べて配置されている。つまり、ブリスター容器１は、第１方向ｄ１に２つの収容空間１１を有する列を、第２方向ｄ２に６つ並べて有し、合計で医薬品２を１２錠収容している。
【０１１０】
図９Ｂに示す例では、いわゆる２ウィークタイプのブリスター容器１が示されており、ブリスター容器１が医薬品２を１４錠収容している。具体的には、各積層体１０は、第１方向ｄ１に離間して配置された２つの収容空間１１を有し、７つの積層体１０が、第２方向ｄ２に並べて配置されている。つまり、ブリスター容器１は、第１方向ｄ１に２つの収容空間１１を有する列を、第２方向ｄ２に７つ並べて有し、合計で医薬品２を１４錠収容している。
【０１１１】
図９Ｃに示す例では、いわゆる１ウィークタイプのブリスター容器１が示されており、ブリスター容器１が医薬品２を７錠収容している。具体的には、第１方向ｄ１及び第２方向ｄ２に２つずつ積層体１０が並べられ、ブリスター容器１は合計で４つの積層体１０を有している。隣接する積層体１０の間には、第１方向ｄ１または第２方向ｄ２に延びる切断補助手段５０が形成されている。このうち、３つの積層体１０が、第１方向ｄ１に離間して配置された２つの収容空間１１を有し、残り１つの積層体１０は、１つの収容空間１１を有している。なお、１つの収容空間１１を有する積層体１０は、２つの収容空間１１を有する積層体１０から、一方の収容空間１１を省いた形態に対応している。
【０１１２】
図９Ｄに示す例では、いわゆる１ウィークタイプのブリスター容器１が示されており、ブリスター容器１が医薬品２を７錠収容している。具体的には、ブリスター容器１は、第２方向ｄ２に並べられた４つの積層体１０を有している。このうち、３つの積層体１０が、第１方向ｄ１に離間して配置された２つの収容空間１１を有し、残り１つの積層体１０は、１つの収容空間１１を有している。図示する例では、１つの収容空間１１を有する積層体１０は、第２方向ｄ２に並べられた４つの積層体１０のうち、第２方向ｄ２において最も外方となる位置に配置されている。なお、１つの収容空間１１を有する積層体１０は、２つの収容空間１１を有する積層体１０から、一方の収容空間１１を省いた形態に対応している。
【０１１３】
≪第２の実施の形態≫
次に、図１０を参照して、本発明の第２の実施の形態について説明する。図１０は、本発明の第２の実施の形態によるブリスター容器を示す底面図である。図１０を参照して説明する第２の実施の形態は、折り目形成手段４０が第２シート材３０に形成されている点で第１の実施の形態と異なるが、その他の構成は、第１の実施形態およびその変形例と同様に構成することができる。第２の実施の形態に関する以下の説明および以下の説明で用いる図面では、上述した第１の実施の形態およびその変形例と同様に構成され得る部分について、上述の第１の実施の形態およびその変形例における対応する部分に対して用いた符号と同一の符号を用いることとし、重複する説明を省略する。
【０１１４】
図１０に示すように、本実施の形態のブリスター容器１は、膨出部２１を形成された第１シート材２０と、第１シート材２０と接合された第２シート材３０と、を含む積層体１０を備えている。第２シート材３０は、第１シート材２０の膨出部２１を覆って、当該膨出部２１との間に収容空間１１を形成している。この収容空間１１内に、錠剤からなる医薬品２が収容されている。このうち、各積層体１０の第１シート材２０は、積層体１０の面内を延びる第１方向ｄ１に離間して形成された２つの膨出部２１を有している。
【０１１５】
複数の積層体１０は、第１方向ｄ１に直交して積層体１０の面内を延びる第２方向ｄ２に並べて配置されている。任意の第２方向ｄ２に隣り合う２つの積層体１０は、第１方向ｄ１に延びる切断補助手段５０を介し、当該切断補助手段５０に沿って切り離し可能となるように接続されている。
【０１１６】
また、図１に示すように、第２シート材３０に、少なくとも一部分において曲がっている経路を延びる折り目形成手段４０が形成されている。折り目形成手段４０が少なくとも一部分において曲がっている経路を延びるため、折り目形成手段４０が直線状に形成されている場合よりも、第２シート材３０は、折り目形成手段４０から折り曲げられ難くなっている。また、折り目形成手段４０は、弱接合領域Ａ内に配置されている。
【０１１７】
本実施の形態では、第２シート材３０に形成された折り目形成手段４０は、平面視において、第１方向ｄ１において２つの膨出部２１の間となる位置を延びている。また、折り目形成手段４０は、積層体１０の外縁部１２上の２つの位置の間を延びている。より詳細には、折り目形成手段４０は、第２方向ｄ２に対向して位置する積層体１０の縁部１２ｂ上の２つの位置の間を延びている。
【０１１８】
また、各積層体１０の折り目形成手段４０の各端部は、一直線上に並んでいる。つまり、任意の第２方向ｄ２に隣り合う２つの積層体１０のうち、一方側に位置する積層体１０の折り目形成手段４０の他方側の端部は、他方側に位置する積層体１０の折り目形成手段４０の一方側の端部に繋がっている。
【０１１９】
具体的な構成として、折り目形成手段４０は、当該折り目形成手段４０の両端４１を結ぶ直線Ｌ１に対して一側に位置する第１曲げ線部４２ａと、前記直線Ｌ１に対して他側に位置する第２曲げ線部４２ｂと、当該折り目形成手段４０の各端４１と曲げ線部４２との間に、前記直線Ｌ１と平行に延びる直線部４５と、を含んでいる。
【０１２０】
さらに、ブリスター容器１は、折り目形成手段４０の一端部４１を含む積層体１０の縁部１２ｂに、切断補助手段５０を介して接続された折れ防止片６０を備えている。本実施の形態では、折れ防止片６０は、一対で構成され、第２方向ｄ２において最も外方に位置する、対応する積層体１０に接続されている。
【０１２１】
次に、以上のような構成からなる本実施の形態の作用について、図１１を参照して説明する。図１１は、図１０に示すブリスター容器１の作用を説明するための図である。
【０１２２】
折れ防止片６０を切断補助手段５０に沿って積層体１０から切り離した後、第２方向ｄ２に隣り合う２つの積層体１０を、切断補助手段５０を利用して互いに折り曲げて、当該切断補助手段５０に沿って互いに切り離す。
【０１２３】
続いて、図１１に示すように、利用対象となる積層体１０の第２シート材３０を、折り目形成手段４０から折り曲げて、当該折り目形成手段４０に沿って第２シート材３０を分割する。これにより、第２シート材３０は、第１方向ｄ１において一側に位置する一側分割部分３０ａと他側に位置する他側分割部分３０ｂとに分離される。ここで、各分割部分３０ａ、３０ｂの折り目形成手段４０に沿って切断された縁部３０ａ１、３０ｂ１の形状は、折り目形成手段４０の形状に対応する。従って、各分割部分３０ａ、３０ｂの縁部３０ａ１、３０ｂ１は、少なくとも一部分において曲がっている経路を延び、これにより、他の部分よりも第１方向ｄ１において外方側に突出する突出部３０ａ２、３０ｂ２が、分割部分３０ａ、３０ｂに画定される。
【０１２４】
また、折り目形成手段４０は、弱接合領域Ａに配置されているため、第２シート材３０を折り目形成手段４０から折り曲げた際に、各分割部分３０ａ、２０ｂの突出部３０ａ２、３０ｂ２は、第１シート材２０から剥離される。これにより、突出部３０ａ２、３０ｂ２を容易に摘まむことができる。
【０１２５】
その後、一側分割部分３０ａの一側突出部３０ａ２を摘まみながら一側分割部分３０ａを第１シート材２０から捲り上げて、当該一側分割部分３０ａを第１シート材２０から剥離する。これにより、一側分割部分２０ａと第１シート材２０との間の収容空間１１内に収容された医薬品２を取り出すことができる。
【０１２６】
次に、他側分割部分３０ｂの他側突出部３０ｂ２を摘まみながら他側分割部分３０ｂを第１シート材２０から捲り上げて、当該他側分割部分３０ｂを第１シート材２０から剥離する。これにより、他側分割部分２０ｂと第１シート材２０との間の収容空間１１内に収容された医薬品２を取り出すことができる。
【０１２７】
以上のように、本実施の形態によれば、折り目形成手段４０が少なくとも一部分において曲がっている経路を延びるため、折り目形成手段４０が直線状に形成されている場合よりも、第２シート材３０を折り目形成手段４０から折り曲げ難い。このため、小児が、第２シート材３０を折り目形成手段４０から折り曲げて、当該折り目形成手段４０に沿って第２シート材３０を分割しようとすることをある程度妨げることができる。加えて、折り目形成手段４０に沿って第２シート材３０を分割したとしても、収容空間１１に収容された医薬品２を取り出すためには、第２シート材３０の分割部分３０ａの突出部３０ａ２を摘まみながら、分割部分３０ａを第１シート材２０から捲り上げて、当該分割部分３０ａを第１シート材２０から剥離する必要がある。つまり、小児が、仮に折り目形成手段４０に沿って第２シート材３０を分割したとしても、分割部分３０ａを第１シート材２０から剥離する必要があるため、収容空間１１に収容された医薬品２を容易に取り出すことができない。これらの結果、チャイルドレジスタンス機能を持ち実用に耐え得るピール開封タイプのブリスター容器１が実現される。
【０１２８】
なお、上述した第１の実施の形態に対する変形例を、第２の実施の形態に適用することも可能である。
【０１２９】
なお、上述した第１の実施の形態及び第２の実施の形態において、折り目形成手段４０は、少なくとも一部分において曲がっている経路を延びている。しかしながら、折り目形成手段が直線からなる態様も考えられ得る。図１２に、折り目形成手段が直線からなる例を示す。図１２に示す例では、折り目形成手段４９は、第１方向ｄ１及び第２方向ｄ２の両方に対して傾斜した直線からなっている。
【０１３０】
この折り目形成手段４９は、第２方向ｄ２に対向して位置する積層体１０の縁部１２ｂ上の２つの位置の間を延びている。折り目形成手段４９は、第２方向ｄ２に対向して位置する積層体１０の縁部１２ｂの延びる方向（すなわち第１方向ｄ１）、及び、当該縁部１２ｂに直交する方向（すなわち第２方向ｄ２）の両方に対して傾斜している。また、各積層体１０の折り目形成手段４９の各端部４１は、一直線上に並んでいない。
【０１３１】
このような図１２に示す態様であっても、チャイルドレジスタンス機能をある程度発揮することができる。
【符号の説明】
【０１３２】
１    ブリスター容器
２    医薬品
１０  積層体
１１  収容空間
１２  外縁部
１２ａ  縁部
１２ｂ  縁部
２０  第１シート材
２０ａ  一側分割部分
２０ｂ  他側分割部分
２０ａ２  一側突出部
２０ｂ２  他側突出部
２１  膨出部
３０  第２シート材
４０  折り目形成手段
４１  端部
４２ａ  第１曲げ線部
４２ｂ  第２曲げ線部
４５  直線部
４６  中央直線部
４７  切れ目
４８  繋ぎ目
５０  切断補助手段
５１  中央切断補助手段
６０  折れ防止片
Ａ    弱接合領域
【図１】
2015000733.tif 000003
【図２】
2015000733.tif 000004
【図３Ａ】
2015000733.tif 000005
【図３Ｂ】
2015000733.tif 000006
【図３Ｃ】
2015000733.tif 000007
【図３Ｄ】
2015000733.tif 000008
【図３Ｅ】
2015000733.tif 000009
【図３Ｆ】
2015000733.tif 000010
【図４】
2015000733.tif 000011
【図５】
2015000733.tif 000012
【図６】
2015000733.tif 000013
【図７】
2015000733.tif 000014
【図８Ａ】
2015000733.tif 000015
【図８Ｂ】
2015000733.tif 000016
【図８Ｃ】
2015000733.tif 000017
【図８Ｄ】
2015000733.tif 000018
【図８Ｅ】
2015000733.tif 000019
【図９Ａ】
2015000733.tif 000020
【図９Ｂ】
2015000733.tif 000021
【図９Ｃ】
2015000733.tif 000022
【図９Ｄ】
2015000733.tif 000023
【図１０】
2015000733.tif 000024
【図１１】
2015000733.tif 000025
【図１２】
2015000733.tif 000026